(57)【要約】      （修正有）【課題】機種や設置環境に応じて、目隠し板の目隠しできる範囲を簡単に最適化できる金融取引装置を提供する。【解決手段】金融取引装置１２の側面に設けた支持軸１６に目隠し板１８を支持する。目隠し板１８は１本の支持軸１６を中心にして、複数の支持角度のいずれかを選択可能に支持されている。上記目隠し板１８は頂点部分に丸みを帯びた略三角形の形状をしている。目隠し板１８の三角形の一頂点に近い位置に上記支持軸１６が配置されている。目隠し板１８が支持軸１６を中心に回転するのを阻止するように、支持ピン２０で目隠し板１８を固定する。支持ピン２０は、目隠し板１８を貫通して本体側面１４に固定される。【選択図】図１
0003211913.tif 000002
【実用新案登録請求の範囲】
【請求項１】
本体側面から見たときに操作部を見通せる部分を、装置の側面に配置した目隠し板で覆う構造のものであって、
上記目隠し板は、装置の側面に設けた支持軸を中心に回転可能に取り付けられており、  上記目隠し板の回転角度を変更したとき、その目隠し板の上記操作部を覆う部分の形状が変化するように、目隠し板全体の輪郭を設定したことを特徴とする金融取引装置。
【請求項２】
上記目隠し板は頂点部分に丸みを帯びた略三角形の形状をしていて、上記目隠し板の三角形の一頂点に近い位置に上記支持軸が配置されていることを特徴とする請求項１に記載の金融取引装置。
【請求項３】
上記目隠し板の回転角度が選択された状態で、上記目隠し板を貫通して本体側面に固定され、上記支持軸と共に目隠し板を支持する支持ピンを備えたことを特徴とする請求項１または２に記載の金融取引装置。
【請求項４】
上記目隠し板は、上記支持軸とともに本体側面に着脱可能に取り付けられていることを特徴とする請求項１乃至３のいずれかに記載の金融取引装置。
【請求項５】
上記目隠し板は、上記回転角度を変更することにより、側方から見たときに、利用者の横顔を隠す状態と、少なくとも操作中の手元を隠す状態とを選択できることを特徴とする請求項１乃至４のいずれかに記載の金融取引装置。
【考案の詳細な説明】
【技術分野】
【０００１】
本考案は、利用者の顔や手元を覆い隠す目隠し板を備えた金融取引装置に関する。
【背景技術】
【０００２】
キャッシュディスペンサのような金融取引装置は、盗み見による不正な操作を防止するために、利用者の顔や手元を覆い隠す目隠し機構を備えている（特許文献１〜３）。これらの文献には、目隠しは、本体と一体になったカバー状のものや本体とは分離した衝立状のものなどが紹介されている。
【先行技術文献】
【特許文献】
【０００３】
【特許文献１】特開２０１１−２５３５７３号公報
【特許文献２】特開２０１０−１７６２７８号公報
【特許文献３】特開２００６−１１８１３７号公報
【考案の概要】
【考案が解決しようとする課題】
【０００４】
既知の従来の技術には、次のような解決すべき課題があった。
装置本体と一体化されたカバー状の目隠し機構は、本体の構造に最適な形状にすることができるが、本体のコストを高める原因になる。また、本体とは別の衝立状の目隠し機構は大がかりになり、レイアウト変更等の自由度が無くなる。
本考案は上記の課題を解決するためになされたものである。
【課題を解決するための手段】
【０００５】
以下の構成はそれぞれ上記の課題を解決するための手段である。
【０００６】
＜構成１＞
本体側面から見たときに操作部を見通せる部分を、装置の側面に配置した目隠し板で覆う構造のものであって、
上記目隠し板は、装置の側面に設けた支持軸を中心に回転可能に取り付けられており、上記目隠し板の回転角度を変更したとき、その目隠し板の上記操作部を覆う部分の形状が変化するように、目隠し板全体の輪郭を設定したことを特徴とする金融取引装置。
【０００７】
＜構成２＞
上記目隠し板は頂点部分に丸みを帯びた略三角形の形状をしていて、上記目隠し板の三角形の一頂点に近い位置に上記支持軸が配置されていることを特徴とする構成１に記載の金融取引装置。
【０００８】
＜構成３＞
上記目隠し板の回転角度が選択された状態で、上記目隠し板を貫通して本体側面に固定され、上記支持軸と共に目隠し板を支持する支持ピンを備えたことを特徴とする構成１または２に記載の金融取引装置。
【０００９】
＜構成４＞
上記目隠し板は、上記支持軸とともに本体側面に着脱可能に取り付けられていることを特徴とする構成１乃至３のいずれかに記載の金融取引装置。
【００１０】
＜構成５＞
上記目隠し板は、上記回転角度を変更することにより、側方から見たときに、利用者の横顔を隠す状態と、少なくとも操作中の手元を隠す状態とを選択できることを特徴とする構成１乃至４のいずれかに記載の金融取引装置。
【考案の効果】
【００１１】
＜構成１の効果＞
目隠し板を、所定の回転角度にセットして固定し、上記操作部を覆う部分の形状を選択することができる。即ち、同一機種の金融取引装置であっても、その設置場所や設置状態に応じて、目隠し板を最適な状態にセットできる。また、異なる機種の金融取引装置にも転用できる。さらに、構造が簡単でコストが安くなり、取付も容易である。回転角度の変更も簡単で、本体の側面だけで作業ができる。
＜構成２の効果＞
丸みを帯びた略三角形のデザイン性の良い目隠し板にすることができる。
＜構成３の効果＞
目隠し板を支持ピン１本で支持することができる。
＜構成４の効果＞
必要に応じて目隠し板を両側面に配置したり片側面にだけ配置したりすることができる。
＜構成５の効果＞
装置の機種や設置環境に応じて、利用者の横顔を隠す状態と操作中の手元を隠す状態とを選択できれば、利用者に最適な環境を提供できる。
【図面の簡単な説明】
【００１２】
【図１】目隠し板の第１の回転角度を選択した状態で、（ａ）は正面図、（ｂ）は側面図である。
【図２】目隠し板の第２の回転角度を選択した状態で、（ａ）は正面図、（ｂ）は側面図である。
【図３】目隠し板の第３の回転角度を選択した状態で、（ａ）は正面図、（ｂ）は側面図である。
【図４】目隠し板の角度を選択する構造の変形例を示す目隠し板の正面図である。
【図５】金融取引装置を複数台並べて配置した状態を示す正面図である。
【図６】（ａ）〜（ｃ）は、目隠し板の変形例を示す主要部側面図である。
【考案を実施するための形態】
【００１３】
以下、本考案の実施の形態を実施例毎に詳細に説明する。
【実施例１】
【００１４】
図１（ａ）は本考案の金融取引装置１２の側面図、（ｂ）は正面図で、目隠し板の第１の回転角度を選択した状態を示している。
図１に示す金融取引装置１２は、例えば、銀行の店舗に据え付けられたＡＴＭである。図１（ｂ）に示すように、この装置には操作部２４が設けられ、カード挿入口２８に銀行カードを挿入して、預貯金の入出金取引をする。入出金口２６を使用して、入金のための現金を投入したり、出金紙幣を取り出したりする。
【００１５】
このような入出金取引のときに、他人から暗証番号や取引内容を見られないように、装置の両側に目隠し板１８を配置する。図１に示すように、金融取引装置１２の側面に設けた支持軸１６によりこの目隠し板１８を支持する。
【００１６】
この実施例では、目隠し板１８は頂点部分に丸みを帯びた略三角形の形状をしている。この目隠し板１８の三角形の一頂点に近い位置に上記支持軸１６が配置されている。この目隠し板１８は１本の支持軸１６を中心にして、回転可能に支持されている。目隠し板１８を回転すると、複数の支持角度のいずれかを選択できる。
【００１７】
目隠し板１８の回転角度を選択した後、目隠し板１８がその状態で支持軸１６を中心にさらに回転するのを阻止するために、支持ピン２０を用いて固定する。支持ピン２０は、目隠し板１８を貫通して本体側面１４の固定孔２２にねじ込み等によって固定される。
【００１８】
この図１の状態は、目隠し板１８により金融取引装置１２を操作する利用者の顔が、横から見ることができない程度に金融取引装置１２の両側を覆うことができる。この実施例では、目隠し板１８の回転角度を３種類選択できるように、固定孔２２を３箇所に配置している。
【００１９】
図２は目隠し板１８の第２の回転角度を選択した状態、図３は第３の回転角度を選択した状態を示し、いずれも、（ａ）は正面図、（ｂ）は側面図である。
図２の状態では、利用者の顔は隣からみることができるが、操作している金融取引装置１２の主要部はすべて覆われている。図３の状態では、少なくとも操作中の利用者の手元の動きは完全に覆われる。それぞれの状態は、支持ピン２０を固定する固定孔２２の位置を選択することで自由に選べる。
【００２０】
上記の目隠し板１８は、例えば、アクリル板やＡＢＳ樹脂板等のプラスチック板に着色したり模様を施して制作することができる。上記のような頂点部分に丸みを帯びた略三角形の形状は、加工が容易で低コストで制作できる。きわめてシンプルな形状であるにもかかわらず、全体として金融取引装置１２がデザイン化され、使いごこちの良いものになるという効果がある。
【実施例２】
【００２１】
図４は目隠し板１８の角度を選択する構造の変形例を示す目隠し板１８の正面図である。
この目隠し板１８の形状や支持軸の位置は図１の実施例と同様である。しかし、その支持軸の挿入される部分には多角形の孔１７が設けられている。このような多角形の孔１７に対して同様の外形の支持軸を挿入すると、任意の角度で目隠し板１８をそれ以上回転しないように支持できる。即ち、この実施例では実施例１で示した支持ピン２０は不要になる。
【実施例３】
【００２２】
図５は金融取引装置１２を複数台並べて配置した状態を示す正面図である。
図１に示した装置をそのまま複数台並べても構わない。しかしながら、この実施例では、２台の金融取引装置１２が隣接する部分では、各金融取引装置１２の一方の側面にだけ目隠し板１８を取り付けることにした。コスト削減と配列間隔を縮めるためである。なお、このために、目隠し板１８と支持軸１６とが本体側面１４に着脱可能に取り付けられているとよい。
【実施例４】
【００２３】
図６（ａ）〜（ｃ）は、目隠し板１８の変形例を示す主要部側面図である。
上記の実施例では、目隠し板１８の形状を単純化する一方で、回転中心となる支持軸の位置をその幾何学的な重心からシフトさせることによって、利用者の覆いになる部分の形状を変化させた。
【００２４】
しかしながら、この実施例でも、目隠し板を支持軸の周りに回転させたときに、その角度に応じて目隠しをする部分の形状を変化させることができる。この実施例では、目隠し板を3つの扇形の部分に切り分けて、それぞれの部分の輪郭形状を異ならせている。１２０度ずつ回転させると、３つの扇形の部分が順番に金融取引装置１２の操作部の側面を覆う。それぞれの扇形の部分の形状を目的に応じて自由に設計して、上記と同様の効果を得ることができる。
【符号の説明】
【００２５】
１２  金融取引装置
１４  本体側面
１６  支持軸
１７  多角形の孔
１８  目隠し板
２０  支持ピン
２２  固定孔
２４  操作部
２６  入出金口
２８  カード挿入口
【図１】
0003211913.tif 000003
【図２】
0003211913.tif 000004
【図３】
0003211913.tif 000005
【図４】
0003211913.tif 000006
【図５】
0003211913.tif 000007
【図６】
0003211913.tif 000008